(57)【要約】【課題】相対的時点を表示させることのできるデータ生成方法及びデータ生成装置、並びに撮像装置を提供する。【解決手段】撮影モードが設定されると、ユーザーによる操作に応じて、名前データ記憶エリアに記憶されている何れかの名前を選択する（ステップＳＢ１）。次に、シャッターキーが操作されたならば、被写体の撮像データを取り込んで記録する（ステップＳＢ３）。引き続き、現在日時データを読み込んで記録し（ステップＳＢ４）、ステップＳＢ１で選択された名前を記録する（ステップＳＢ５）。前記ステップＳＢ４で撮影日時データ記録エリアに記録された撮影日時データ（現在日時データ）と、ステップＳＢ１で選択された名前データに対応して記憶されている特定日データとの差分を算出する（ステップＳＢ６）。さらに、この算出した差分データを画像データ等と対応させて記録する（ステップＳＢ７）。【選択図】      図５
2006340383.tif 000002
【特許請求の範囲】
【請求項１】
特定の時点を示す特定時点データを記憶する記憶工程と、
所定データの記録時点を示す記録時点データを取得する取得工程と、
前記記憶した特定時点データと前記取得した記録時点データとの差分データを算出する算出工程と、
この算出工程により算出された前記差分データが表示されるように制御する制御工程と、
からなることを特徴とするデータ生成方法。
【請求項２】
前記記憶工程で、複数の特定時点データを記憶し、
この記憶された複数の特定時点データから何れかを選択する選択工程をさらに備えるとともに、
前記算出工程では、前記選択された特定時点データと記録時点データとの差分データを算出することを特徴とする請求項１記載のデータ生成方法。
【請求項３】
前記制御工程では、前記差分データが対応する所定データとともに表示されるように制御することを特徴とする請求項１又は２記載のデータ生成方法。
【請求項４】
特定の日時を示す特定日時データを記憶する記憶手段と、
所定データの記録日時を示す記録日時データを取得する取得手段と、
前記記憶手段に記憶された前記特定日時データと前記取得手段により取得された記録日時データとの差分データを算出する算出手段と、
この算出手段により算出された前記差分データが表示されるように制御する制御手段と、
を備えたことを特徴とするデータ生成装置。
【請求項５】
被写体像を撮像する撮像手段と、
この撮像手段により撮像された前記被写体像の画像データを記録する画像データ記録手段と、
特定の日時を示す特定日時データを記憶する記憶手段と、
前記画像データの記録日時を示す記録日時データを取得する取得手段と、
前記記憶手段に記憶された前記特定日時データと前記取得手段により取得された記録日時データとの差分データを算出する算出手段と、
この算出手段により算出された前記差分データが前記画像データ記録手段に記録された画像データとともに表示されるように制御する制御手段と、
を備えたことを特徴とする撮像装置。
【請求項６】
前記記憶手段は、複数の特定日時データを記憶し、
この記憶手段に記憶された複数の特定日時データから何れかを選択する選択手段をさらに備えるとともに、
前記算出手段は、前記選択手段により選択された特定日時データと前記取得手段により取得された記録日時データとの差分データを算出することを特徴とする請求項５記載の撮像装置。
【請求項７】
前記制御手段は、前記画像データ記録手段に、前記画像データとともに、前記算出手段により算出された差分データを記録させることにより、該差分データが前記画像データとともに再生表示されるようにすることを特徴とする請求項５又は６記載の撮像装置。
【請求項８】
前記算出手段は、前記画像データの再生時に前記差分データを算出し、
前記制御手段は、再生される画像データとともに前記差分データが表示されるように制御することを特徴とする請求項５又は６記載の撮像装置。
【発明の詳細な説明】
【技術分野】
【０００１】
本発明は、相対的な日時データを生成するデータ生成方法及びデータ生成装置、並びに撮像装置に関する。
【背景技術】
【０００２】
従来、例えばビデオカメラにおいては、現在日時をファインダー内に表示するとともにこれを撮影画像に付加して撮影日時として記録するものが一般的に用いられている。したがって、このビデオカメラによれば、再生時には記録画像とともに撮影日時が表示され、これにより再生中の画像が何時撮影されたものであるかを知ることができる。
【発明の開示】
【発明が解決しようとする課題】
【０００３】
しかしながら、再生時に画像とともにその撮影日時を表示した場合、撮影した時点である絶対的時点は判るが、撮影された画像が特定の時点からどれくらい経過した時点で撮影されたものであるかの相対的時点までも知ることはできない。すなわち、子供の成長をビデオ録画した場合、再生された画像に付加されている撮影日時により、当該画像が何時撮影されたものであるかの絶対的時点を知ることができても、子供が何才のときの画像であるかの相対的時点までも知ることはできない。
【０００４】
本発明は、このような従来の課題に鑑みてなされたものであり、相対的時点を表示させることのできるデータ生成方法及びデータ生成装置、並びに撮像装置を提供することを目的とするものである。
【課題を解決するための手段】
【０００５】
前記課題を解決するために請求項１記載のデータ生成方法にあっては、特定の時点を示す特定時点データを記憶する記憶工程と、所定データの記録時点を示す記録時点データを取得する取得工程と、前記記憶した特定時点データと前記取得した記録時点データとの差分データを算出する算出工程と、この算出工程により算出された前記差分データが表示されるように制御する制御工程とからなる。したがって、差分データが表示されることにより、所定のデータが特定の時点からどれだけ経った時点で記録されたものであるかが示される。
【０００６】
また、請求項２記載のデータ生成方法にあっては、前記記憶工程で、複数の特定時点データを記憶し、この記憶された複数の特定時点データから何れかを選択する選択工程をさらに備えるとともに、前記算出工程では、前記選択された特定時点データと記録時点データとの差分データを算出する。したがって、算出工程では、選択された特定時点データに対応する所定データの、特定時点データと記録時点データとの差分データが表示される。
【０００７】
また、請求項３記載のデータ生成方法にあっては、前記制御工程では、前記差分データが対応する所定データとともに表示されるように制御する。したがって、表示された当該所定データが特定の日時からどれだけ経った時点で記録されたものであるかが一見して明らかとなる。
【０００８】
また、請求項４記載のデータ生成装置にあっては、特定の日時を示す特定日時データを記憶する記憶手段と、所定データの記録日時を示す記録日時データを取得する取得手段と、前記記憶手段に記憶された前記特定日時データと前記取得手段により取得された記録日時データとの差分データを算出する算出手段と、この算出手段により算出された前記差分データが表示されるように制御する制御手段とを備えている。したがって、制御手段の動作に伴って差分データが表示されることにより、所定のデータが特定の日時からどれだけ経った時点で記録されたものであるかが示される。
【０００９】
また、請求項５記載の撮像装置にあっては、被写体像を撮像する撮像手段と、この撮像手段により撮像された前記被写体像の画像データを記録する画像データ記録手段と、特定の日時を示す特定日時データを記憶する記憶手段と、前記画像データの記録日時を示す記録日時データを取得する取得手段と、前記記憶手段に記憶された前記特定日時データと前記取得手段により取得された記録日時データとの差分データを算出する算出手段と、この算出手段により算出された前記差分データが前記画像データ記録手段に記録された画像データとともに表示されるように制御する制御手段とを備えている。したがって、差分データが画像データとともに表示されることにより、この表示された画像データが特定の日時からどれだけ経った時点で記録されたものであるかが示される。
【００１０】
また、請求項６記載の撮像装置にあっては、前記記憶手段は、複数の特定日時データを記憶し、この記憶手段に記憶された複数の特定日時データから何れかを選択する選択手段をさらに備えるとともに、前記算出手段は、前記選択手段により選択された特定日時データと前記取得手段により取得された記録日時データとの差分データを算出する。したがって、選択された特定日時データに対応する画像データの、特定日時データと記録日時データとの差分データが表示される。
【００１１】
また、請求項７記載の撮像装置にあっては、前記制御手段は、前記画像データ記録手段に、前記画像データとともに、前記算出手段により算出された差分データを記録させることにより、該差分データが前記画像データとともに再生表示されるようにする。したがって、画像データ記録手段に記録されている画像データを再生すると、この再生された画像データに差分データが付加されて表示される。
【００１２】
また、請求項８記載の撮像装置にあっては、前記算出手段は、前記画像データの再生時に前記差分データを算出し、前記制御手段は、再生される画像データとともに前記差分データが表示されるように制御する。したがって、予め差分データを記録しておかずとも、再生された画像データに差分データが付加されて表示される。
【発明の効果】
【００１３】
以上説明したように本発明は、記憶しておいた特定の時点を示す特定時点データと取得した所定データの記録時点を示す記録時点データとの差分データを算出して表示させるようにしたことから、この差分データが表示されることにより、所定のデータが特定の時点からどれだけ経った時点で記録されたものであるか、すなわちデータの相対的記録時点を一見して明らかにすることができる。
【００１４】
また、複数の特定時点データを記憶して、この記憶された複数の特定時点データから何れかを選択可能とし、この選択された特定時点データに対応する所定データの差分データを算出するようにしたことから、複数の所定データや画像データが記録されている場合であっても、各データ毎にその相対的記録時点を一見して明らかにすることができる。
【００１５】
また、差分データが対応する所定データあるいは対応する画像データとともに表示されるようにしたことから、表示された当該所定データや画像データが特定の日時からどれだけ経った時点で記録されたものであるかが一見して明らかにすることができる。
【００１６】
また、画像データ記録手段に、被写体像の画像データとともに、差分データを記録させるようにしたことから、画像データ記録手段に記録されている画像データを再生した際に、この再生された画像データに差分データを付加して表示することができる。よって、子供の成長を記録した場合等において、再生された画像に付加されている差分データにより、子供が何才のとき画像であるか等の相対的時点を一見して知ることができる。
【００１７】
また、画像データの再生時に差分データを算出して、この差分データが画像データとともに表示されるようにしたことから、差分データを記録しておかずとも、再生された画像データに差分データを付加することができ、これにより必要な記録容量を少なくしつつ、相対的記録時点を一見して明らかにすることができる。
【発明を実施するための最良の形態】
【００１８】
以下、本発明の一実施の形態を図に従って説明する。図１は本発明の一実施の形態を適用したデジタルスチルカメラの概略構成を示すブロック図である。このデジタルスチルカメラは、レンズユニット１を有し、このレンズユニット１の後方には、ＣＣＤからなる撮像素子２が配置されている。この撮像素子２からの出力信号は信号処理回路３により処理されて、ＣＰＵ４に取り込まれる。
【００１９】
ＣＰＵ４は、プログラムに基づき動作することによって、このデジタルスチルカメラを構成する各部を制御するものであって、前記撮像素子２、現在時刻を計時する時計部５、ビデオＲＡＭ６が接続されているとともに、キー入力部７、外部Ｉ／Ｆ制御部８、ＲＯＭ９、ＲＡＭ１０、記録用メモリ１１が接続されている。
【００２０】
キー入力部７には、電源のオン・オフ時に操作される電源キー、被写体画像データを記録用メモリ１１に記憶させる際に操作されるシャッターキー、データ入力モードと撮影モードと再生モードとを選択的に設定するためのモードキー、後述する付加データ表示モードを設定するための表示モードキー等の各種キーが設けられている。外部Ｉ／Ｆ制御部８は、このデジタルスチルカメラに接続されるパソコン等の外部機器とのデータ入出力を制御し、ＲＯＭ９には、ＣＰＵ４の動作プログラム等が記憶されており、ＣＰＵ４は、この動作プログラムに基づき動作し各部を制御する。
【００２１】
ＲＡＭ１０は、ＣＰＵ４のワークエリアとして使用されるのみならず、その一部に図２に示すように、入力された名前データを記憶する名前データ記憶エリア１０ａと特定日を記憶する特定日データ記憶エリア１０ｂとが、対応して複数設けられている。記録用メモリ１１には、図３に示すように、前記シャッターキーの操作により取り込まれた画像データである撮像データを記録するための撮像データ記録エリア１１ａと、撮影日時を記録するための撮影日時データ記録エリア１１ｂ、名前データを記録するための名前データ記録エリア１１ｃ、及び後述する差分データを記録するための差分データ記録エリア１１ｄが、対応して複数設けられている。
【００２２】
ビデオＲＡＭ６には、撮影モードの状態においては、信号処理回路３で処理された撮像素子２からの出力信号に基づく被写体画像の画像データが所定のタイミング毎に格納される。この画像データに基づき、表示回路１２が表示素子１３を駆動することにより、レンズユニット１により撮像素子２上に結像された被写体画像がＬＣＤからなる表示素子１３にて表示される。また、再生モードの状態においては、記録用メモリ１１から読み出された画像データ及びこれに対応して記録されているデータが格納され、これらデータに基づき、表示回路１２が表示素子１３を駆動することにより、記録されているデータに基づく画像や文字が表示素子１３にて表示される。
【００２３】
以上の構成にかかる本実施の形態において、データ入力モードが設定されると、ＣＰＵ４は、ＲＯＭ９に格納されているプログラムに基づき、図４に示すフローチャートに従って制御を実行する。すなわち、名前入力処理を行って、キー入力部７での操作により入力された特定日に関連する名前を、ＲＡＭ１０の名前データ記憶エリア１０ａに格納する（ステップＳＡ１）。この特定日に関連する名前とは、例えば特定日が誕生日であればその者の名前「ケント」、特定日が植物を植えた日であればその植物の名称「チューリップ」、特定日が結婚した日であればこれを示す名称「結婚」等である。
【００２４】
次に、特定日入力処理を行って、キー入力部７での操作により引き続き入力された特定日、例えば誕生日、チューリップの球根を植えた日、結婚した日等をＲＡＭ１０の対応する特定日データ記憶エリア１０ｂに記憶させる（ステップＳＡ２）。この図４に示したフローに基づく処理により、名前データ記憶エリア１０ａと特定日データ記憶エリア１０ｂには、図２に例示したように、「ケント」に対応してこの者の誕生日「１９９５／９／２８」が記憶され、「チューリップ」に対応してその球根を植えた日「１９９７／４／１」が記憶され、「結婚」に対応して結婚記念日「１９９２／１０／３」が記憶される。
【００２５】
一方、撮影モードが設定されると、ＣＰＵ４は、図５に示すフローチャートに従って制御を実行し、ユーザーによるキー入力部７での操作に応じて、名前データ記憶エリア１０ａに記憶されている何れかの名前を選択する（ステップＳＢ１）。次に、キー入力部７に設けられているシャッターキーが操作されるまで待機状態を維持し（ステップＳＢ２）、シャッターキーが操作されたならば、信号処理回路３から被写体の撮像データを取り込んで、記録用メモリ１１の撮像データ記録エリア１１ａのいずれかに記録する（ステップＳＢ３）。引き続き、時計部５より現在日時データを読み込んで、この読み込んだ現在日時データを、前記撮像データが記録された撮像データ記録エリア１１ａに対応する撮影日時データ記録エリア１１ｂに記録する（ステップＳＢ４）。さらに、前述のステップＳＢ１で選択された名前を、対応する名前データ記録エリア１１ｃに記録する（ステップＳＢ５）。
【００２６】
次に、前記ステップＳＢ４で撮影日時データ記録エリア１１ｂに記録された撮影日時データ（現在日時データ）と、ステップＳＢ１で選択された名前データに対応して特定日データ記憶エリア１０ｂに記憶されている特定日データとの差分を算出する（ステップＳＢ６）。すなわち、例えば今「ケント」が選択されており、その特定日として誕生日「１９９５／９／２８」が記憶されており、現在日時が「１９９８／４／３０」であったとすると、両者の差として２年７ケ月（２才７ケ月）を算出する。さらに、この算出した差分データを画像データ等、つまり画像データ、現在日時データ、名前データと対応させて記録する（ステップＳＢ７）。
【００２７】
したがって、以上の処理が繰り返されることにより、図３に示した記録用メモリ１１の各エリア１１ａ〜１１ｄには、シャッター操作がある毎に、画像データ、撮影日時データ（現在日時データ）、名前データ及び差分データが対応して記録されて行く。
【００２８】
また、再生モードが設定されると、ＣＰＵ４は、図６に示すフローチャートに従って制御を実行し、差分データ＋名前データ表示モード（ステップＳＣ１）、差分データ表示モード（ステップＳＣ３）、名前データ表示モード（ステップＳＣ５）、日付データ表示モード（ステップＳＣ７）の何れかが選択されたかを各ステップで判別する。
【００２９】
そして、これら各ステップでの判別の結果、差分データ＋名前データ表示モードが設定された場合には（ステップＳＣ１がＹＥＳ）、画像データとともに差分データと名前データとを表示する（ステップＳＣ２）。このステップＳＣ２での処理により、図７（ａ）に示すように、例えば「ケント」の画像Ｐとともに、名前Ｎと差分データからなる年令Ａとが表示される。また、差分データ表示モードが設定された場合には（ステップＳＣ３がＹＥＳ）、画像データとともに差分データを表示し（ステップＳＣ４）、このステップＳＣ４での処理により、図７（ｂ）に示すように、「ケント」の画像Ｐとともに差分データからなる年令Ａが表示される。
【００３０】
したがって、差分データ＋名前表示モード、又は差分表示モードを設定することにより、誕生日を特定日として設定した者が何才の時に撮影された画像であるかを知ることができる。無論、チューリップの球根を植えた日や結婚した日を特定日とした場合も同様であって、チューリップの球根を植えた日から何日目に撮影された画像であるか（図８（ａ）〜（ｃ）参照）、結婚した日から何年何ケ月目に撮影された画像であるかを知ることができる。
【００３１】
また、名前データ表示モードが設定されていれば（ステップＳＣ５がＹＥＳ）、画像データとともに名前データを表示し（ステップＳＣ６）、このステップＳＣ６での処理により、図７（ｃ）に示すように、「ケント」の画像Ｐとともに名前Ｎが表示される。さらに、日付データ表示モードが設定されていれば（ステップＳＣ７がＹＥＳ）、画像データとともに撮影日データを表示し（ステップＳＣ８）、このステップＳＣ８での処理により、図７（ｄ）に示すように、「ケント」の画像Ｐとともに撮影日時Ｄが表示される。また、何れのデータ表示モードも設定されておらず、単に再生モードが設定された場合には（ステップＳＣ１、３、５、７がＮＯ）、画像データのみを表示し（ステップＳＣ９）、このステップＳＣ９での処理により、図７（ｅ）に示すように、「ケント」の画像Ｐのみが表示される。
【００３２】
なお、再生時においてユーザーがキー操作により差分データを入力し、この入力された差分データあるいはこれに近似する差分データを差分データ記録エリア１１ｄから検索し、この検索した差分データに対応する画像を表示させるようにしてもよい。これにより、２才７ケ月目の子供の画像や、結婚４年目の夫婦の画像等、特定日から所望期間経過した時点の画像を迅速に表示させることができ、アルバム的な感覚で再生画像を見ることができる。
【００３３】
また、この実施の形態においては、本発明をデジタルスチルカメラに適用した場合を示したが、フィルムに画像を記録するスチルカメラやビデオカメラ等の他の記録媒体に画像を記録する装置に適用するようにしてもよく、その場合算出した差分データを被写体像とともにフィルム等の対応する記録媒体に記録するようにすればよい。
【００３４】
図９は、本発明の他の実施の形態における撮影モード時の処理手順を示すフローチャートである。このフローチャートに示すように、撮影モード時の全てのステップＳＤ１〜ＳＤ５は、前述した図５のフローチャートにおけるステップＳＢ１〜ＳＢ５と同様の処理である。つまり、この実施の形態においては、記録用メモリ１１には図３に示した差分データ記録エリア１１ｄが設けられておらず、撮影時に差分データの算出と記録とを行わない。そして、ステップＳＤ３〜ＳＤ５により、撮像データを撮像データ記録エリア１１ａのいずれかに記録するとともに、現在日時データを対応する撮影日時データ記録エリア１１ｂに記録し、ステップＳＤ１で選択された名前を対応する名前データ記録エリア１１ｃに記録する処理のみを行う。
【００３５】
そして、再生モードが設定されると、ＣＰＵ４は、図１０に示すフローチャートに従って制御を実行し、日付データ表示モード、名前データ表示モード、差分データ表示モードの何れが選択されているかを判別する（ステップＳＥ１）。この判別の結果、日付データ表示モードが選択されていれば、撮像データとともに撮影日時データを表示し（ステップＳＥ２）、また、名前データ表示モードが選択されていれば、撮像データとともに名前データを表示する（ステップＳＥ３）。したがって、このステップＳＥ２での処理により、図７（ｄ）に示したように、「ケント」の画像Ｐとともに撮影日時Ｄが表示され、ステップＳＥ３での処理により、図７（ｃ）に示したように、「ケント」の画像Ｐとともに名前Ｎが表示される。
【００３６】
また、ステップＳＥ１での判別の結果、差分データ表示モードが設定されている場合には、前記ステップＳＤ４で撮影日時データ記録エリア１１ｂに記録された撮影日時データ（現在日時データ）と、前記ステップＳＤ５で名前データ記録エリア１１ｃに記録された名前データに対応して特定日データ記憶エリア１０ｂに記憶されている特定日データとの差分を算出する（ステップＳＥ４）。しかる後に、画像データとともにこの算出した差分データを表示して（ステップＳＥ５）、ステップＳＥ１からの処理を繰り返す。
【００３７】
したがって、例えばチューリップの球根を植えた日「１９９７／４／１」が、名前データ記憶エリア１０ａに記憶された名前「チューリップ」と対応して、特定日データ記憶エリア１０ｂに記憶されており、撮影日時データ記録エリア１１ｂに、撮影日時データとして「１９９７／４／１８」「１９９７／５／１５」「１９９７／６／１１」が撮像データ（名前データとして「チューリップ」が名前データ記録エリア１１ｃに対応して記録されている撮影データ）に対応して記録されていたとすると、差分データとして「１８日」「４５日」「７２日」が各々算出される。そして、図８（ａ）（ｂ）（ｃ）に示すように、各時点におけるチューリップの画像に、差分データである球根を植えた日から各時点までの経過期間Ｔ（「１８日」「４５日」「７２日」）が付加されて表示される。したがって、画像Ｐと経過期間Ｔとを観察することにより、当該画像Ｐが球根を植えてから何日目のチューリップを示す画像であるかを、一見して認識することができる。無論、誕生日や結婚した日等を特定日とした場合にも同様であって、再生時には画像が特定日からどれだけ経過した時点のものであるかを一見して認識することができる。
【００３８】
なお、上記実施の形態においては、キー入力部７での操作により、名前データや特定日データを記憶し、あるいは記憶させた名前データの選択を行うようにしたが、マイク及び音声認識回路を設けて、マイクから入力され音声認識回路により認識されたデータを記憶させたり、記憶させたデータを選択するようにしてもよく、これによりキー操作の煩雑性を解消することができる。
【００３９】
また、上記実施の形態においては、デジタルスチルカメラに固定的に設けられたＲＯＭ９に、図４、５、６、９、１０のフローチャートに示した制御を行うためのプログラムを記憶させておくようにしたが、これらプログラムを着脱自在な記録媒体に記録しておき、この記録媒体をデジタルスチルカメラにセットすることにより、前述したと同様の処理を実行させるようにしてもよい。これにより、デジタルスチルカメラを多機能化することができる。さらに、実施の形態においては、画像データを記録するデジタルスチルカメラに本発明を適用した場合を示したが、画像データを記録する装置に限らず、他のデータ等を記録する装置にも適用し得ることは勿論である。
【図面の簡単な説明】
【００４０】
【図１】本発明の一実施の形態を適用したデジタルスチルカメラの概略ブロック構成図である。
【図２】ＲＡＭの一部の領域を示す概念図である。
【図３】記録用メモリの構成を示す概念図である。
【図４】同実施の形態におけるデータ入力モード時の処理手順を示すフローチャートである。
【図５】同実施の形態における撮影モード時の処理手順を示すフローチャートである。
【図６】同実施の形態における再生モード時の処理手順を示すフローチャートである。
【図７】同実施の形態における表示例を示す図である。
【図８】他の表示例を示す図である。
【図９】本発明の他の実施の形態における撮影モード時の処理手順を示すフローチャートである。
【図１０】同実施の形態における再生モード時の処理手順を示すフローチャートである。
【符号の説明】
【００４１】
２  撮像素子
４  ＣＰＵ
７  キー入力部
９  ＲＯＭ
１０  ＲＡＭ
１１  記録用メモリ
１３  表示素子
【図１】
2006340383.tif 000003
【図２】
2006340383.tif 000004
【図３】
2006340383.tif 000005
【図４】
2006340383.tif 000006
【図５】
2006340383.tif 000007
【図６】
2006340383.tif 000008
【図７】
2006340383.tif 000009
【図８】
2006340383.tif 000010
【図９】
2006340383.tif 000011
【図１０】
2006340383.tif 000012
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
特定の日時を示す特定日時データを複数記憶する記憶工程と、
画像データ、撮影日時データ、及び前記記憶した複数の特定日時データのうちの何れか１つを特定するための特定データを対応付けて記録する記録工程と、
前記記録した画像データを再生表示する際に、再生表示する画像データと対応付けて記録した撮影日時データと、該撮影日時データと対応付けて記録した特定データにより特定される前記記憶した特定日時データとの差分データを算出する算出工程と、
前記再生表示する画像データとともに前記算出した差分データが表示されるように制御する制御工程と、
からなることを特徴とするデータ生成方法。
【請求項２】
特定の日時を示す特定日時データを複数記憶する記憶手段と、
画像データ、撮影日時データ、及び前記記憶手段に記憶されている複数の特定日時データのうちの何れか１つを特定するための特定データを対応付けて記録する画像データ記録手段と、
前記画像データ記録手段に記録されている画像データを再生表示させる制御手段と、
この制御手段により再生表示される画像データと対応付けて前記画像データ記録手段に記録されている撮影日時データと、該撮影日時データと対応付けて記録されている特定データにより特定される、前記記憶手段に記憶されている前記特定日時データとの差分データを算出する算出手段とを備え、
前記制御手段は、さらに、再生表示させる画像データとともに前記算出手段により算出された差分データが表示されるように制御する手段を含むことを特徴とするデータ生成装置。
【請求項３】
複数の表示モードの中から任意の表示モードを選択するモード選択手段を備え、
前記算出手段は、前記モード選択手段により差分データ表示モードが選択された場合に差分データを算出し、
前記制御手段は、前記モード選択手段により差分データ表示モードが選択された場合に、再生表示させる画像データとともに前記算出手段により算出された差分データが表示されるように制御することを特徴とする請求項２記載のデータ生成装置。
【請求項４】
前記記憶手段は、名前データ及び特定の日時を示す特定日時データを対応付けて複数組記憶する手段を含み、
前記画像データ記録手段は、画像データ、撮影日時データ及び名前データを対応付けて記録する手段を含み、
前記算出手段は、前記制御手段により再生表示される画像データと対応付けて前記画像データ記録手段に記録されている撮影日時データと、該撮影日時データと対応付けて記録されている名前データと一致する前記記憶手段に記憶されている名前データと対応付けて記憶されている前記特定日時データとの差分データを算出する手段を含み、
前記制御手段は、前記モード選択手段により名前データ表示モードが選択された場合、再生表示させる画像データと対応付けて前記画像データ記録手段に記録されている名前データが表示されるように制御することを特徴とする請求項３記載のデータ生成装置。
【請求項５】
前記制御手段は、前記モード選択手段により日付データ表示モードが選択された場合、再生表示させる画像データと対応付けて前記画像データ記録手段に記録されている撮影日時データが表示されるように制御することを特徴とする請求項３又は４記載のデータ生成装置。
【請求項６】
被写体像を撮像する撮像手段と、
この撮像手段により撮像された前記被写体像の画像データの撮影日時を示す撮影日時データを取得する取得手段と、
特定の日時を示す特定日時データを複数記憶する記憶手段と、
この記憶手段に記憶されている複数の特定日時データのうちのいずれか１つを選択する選択手段と、
前記撮像手段により撮像された前記被写体像の画像データ、前記取得手段により取得された撮影日時データ、及び前記選択手段により選択された特定日時データを特定するための特定データを対応付けて記録する画像データ記録手段と、
前記画像データ記録手段に記録されている画像データを再生表示させる制御手段と、
この制御手段により再生表示される画像データと対応付けて前記画像データ記録手段に記録されている撮影日時データと、該撮影日時データと対応付けて記録されている特定データにより特定される、前記記憶手段に記憶されている前記特定日時データとの差分データを算出する算出手段とを備え、
前記制御手段は、さらに、再生表示させる画像データとともに前記算出手段により算出された差分データが表示されるように制御する手段を含むことを特徴とする撮像装置。
【請求項７】
複数の表示モードの中から任意の表示モードを選択するモード選択手段を備え、
前記算出手段は、前記モード選択手段により差分データ表示モードが選択された場合に差分データを算出し、
前記制御手段は、前記モード選択手段により差分データ表示モードが選択された場合に、再生表示させる画像データとともに前記算出手段により算出された差分データが表示されるように制御することを特徴とする請求項６記載の撮像装置。
【請求項８】
前記記憶手段は、名前データ及び特定の日時を示す特定日時データを対応付けて複数組記憶する手段を含み、
前記画像データ記録手段は、画像データ、撮影日時データ及び名前データを対応付けて記録する手段を含み、
前記算出手段は、前記制御手段により再生表示される画像データと対応付けて前記画像データ記録手段に記録されている撮影日時データと、該撮影日時データと対応付けて記録されている名前データと一致する前記記憶手段に記憶されている名前データと対応付けて記憶されている前記特定日時データとの差分データを算出する手段を含み、
前記制御手段は、前記モード選択手段により名前データ表示モードが選択された場合、再生表示させる画像データと対応付けて前記画像データ記録手段に記録されている名前データが表示されるように制御することを特徴とする請求項７記載の撮像装置。
【請求項９】
前記制御手段は、前記モード選択手段により日付データ表示モードが選択された場合、再生表示させる画像データと対応付けて前記画像データ記録手段に記録されている撮影日時データが表示されるように制御することを特徴とする請求項７又は８記載の撮像装置。
【請求項１０】
被写体像を撮像する撮像手段と、
この撮像手段により撮像された前記被写体像の画像データの撮影日時を示す撮影日時データを取得する取得手段と、
特定の日時を示す特定日時データを複数記憶する記憶手段と、
この記憶手段に記憶されている複数の特定日時データのうちのいずれか１つを選択する選択手段と、
前記取得手段により取得された撮影日時データと、前記選択手段により選択された前記特定日時データとの差分データを算出する算出手段と、
前記撮像手段により撮像された前記被写体像の画像データ及び前記算出手段により算出された差分データを対応付けて記録する画像データ記録手段と、
を備えたことを特徴とする撮像装置。
【請求項１１】
前記記憶手段は、名前データ及び特定の日時を示す特定日時データを対応付けて複数組記憶する手段を含み、
前記選択手段は、前記記憶手段に記憶されている複数の名前データのうちのいずれか１つを選択する手段を含み、
前記算出手段は、前記取得手段により取得された撮影日時データと、前記選択手段により選択された名前データと対応付けて前記記憶手段に記憶されている特定日時データとの差分データを算出する手段を含むことを特徴とする請求項１０記載の撮像装置。
【請求項１２】
前記画像データ記録手段に記録されている画像データを再生表示させる制御手段を備え、
前記制御手段は、さらに、再生表示させる画像データとともに該画像データと対応付けて前記画像データ記録手段に記録されている差分データが表示されるように制御する手段を含むことを特徴とする請求項１０又は１１記載の撮像装置。
【請求項１３】
複数の表示モードの中から任意の表示モードを選択するモード選択手段を備え、
前記制御手段は、前記モード選択手段により差分データ表示モードが選択された場合に、再生表示させる画像データとともに前記差分データが表示されるように制御することを特徴とする請求項１２記載の撮像装置。
【請求項１４】
前記画像データ記録手段に記録されている画像データを再生表示させる制御手段と、
複数の表示モードの中から任意の表示モードを選択するモード選択手段とを備え、
前記画像データ記録手段は、前記画像データ、前記差分データ及び前記選択手段により選択された名前データを対応付けて記録する手段を含み、
前記制御手段は、前記モード選択手段により名前データ表示モードが選択された場合、再生表示させる画像データと対応付けて前記画像データ記録手段に記録されている名前データが表示されるように制御することを特徴とする請求項１１記載の撮像装置。
【請求項１５】
前記画像データ記録手段は、前記画像データ、前記差分データ及び前記取得手段により取得された撮影日時データを対応付けて記録する手段を含み、
前記制御手段は、前記モード選択手段により日付データ表示モードが選択された場合、再生表示させる画像データと対応付けて前記画像データ記録手段に記録されている撮影日時データが表示されるように制御することを特徴とする請求項１３又は１４記載の撮像装置。
【手続補正２】
【補正対象書類名】明細書
【補正対象項目名】０００５
【補正方法】変更
【補正の内容】
【０００５】
前記課題を解決するために請求項１記載のデータ生成方法にあっては、特定の日時を示す特定日時データを複数記憶する記憶工程と、画像データ、撮影日時データ、及び前記記憶した複数の特定日時データのうちの何れか１つを特定するための特定データを対応付けて記録する記録工程と、前記記録した画像データを再生表示する際に、再生表示する画像データと対応付けて記録した撮影日時データと、該撮影日時データと対応付けて記録した特定データにより特定される前記記憶した特定日時データとの差分データを算出する算出工程と、前記再生表示する画像データとともに前記算出した差分データが表示されるように制御する制御工程とからなることを特徴とする。
【手続補正３】
【補正対象書類名】明細書
【補正対象項目名】０００６
【補正方法】変更
【補正の内容】
【０００６】
また、請求項２記載のデータ生成装置にあっては、特定の日時を示す特定日時データを複数記憶する記憶手段と、画像データ、撮影日時データ、及び前記記憶手段に記憶されている複数の特定日時データのうちの何れか１つを特定するための特定データを対応付けて記録する画像データ記録手段と、前記画像データ記録手段に記録されている画像データを再生表示させる制御手段と、この制御手段により再生表示される画像データと対応付けて前記画像データ記録手段に記録されている撮影日時データと、該撮影日時データと対応付けて記録されている特定データにより特定される、前記記憶手段に記憶されている前記特定日時データとの差分データを算出する算出手段とを備え、前記制御手段は、さらに、再生表示させる画像データとともに前記算出手段により算出された差分データが表示されるように制御する手段を含むことを特徴とする。
【手続補正４】
【補正対象書類名】明細書
【補正対象項目名】０００７
【補正方法】変更
【補正の内容】
【０００７】
また、請求項３記載のデータ生成装置にあっては、複数の表示モードの中から任意の表示モードを選択するモード選択手段を備え、前記算出手段は、前記モード選択手段により差分データ表示モードが選択された場合に差分データを算出し、前記制御手段は、前記モード選択手段により差分データ表示モードが選択された場合に、再生表示させる画像データとともに前記算出手段により算出された差分データが表示されるように制御することを特徴とする。
また、請求項４記載のデータ生成装置にあっては、前記記憶手段は、名前データ及び特定の日時を示す特定日時データを対応付けて複数組記憶する手段を含み、
前記画像データ記録手段は、画像データ、撮影日時データ及び名前データを対応付けて記録する手段を含み、前記算出手段は、前記制御手段により再生表示される画像データと対応付けて前記画像データ記録手段に記録されている撮影日時データと、該撮影日時データと対応付けて記録されている名前データと一致する前記記憶手段に記憶されている名前データと対応付けて記憶されている前記特定日時データとの差分データを算出する手段を含み、前記制御手段は、前記モード選択手段により名前データ表示モードが選択された場合、再生表示させる画像データと対応付けて前記画像データ記録手段に記録されている名前データが表示されるように制御することを特徴とする。
また、請求項５記載のデータ生成装置にあっては、前記制御手段は、前記モード選択手段により日付データ表示モードが選択された場合、再生表示させる画像データと対応付けて前記画像データ記録手段に記録されている撮影日時データが表示されるように制御することを特徴とする。
【手続補正５】
【補正対象書類名】明細書
【補正対象項目名】０００８
【補正方法】変更
【補正の内容】
【０００８】
また、請求項６記載の撮像装置にあっては、被写体像を撮像する撮像手段と、この撮像手段により撮像された前記被写体像の画像データの撮影日時を示す撮影日時データを取得する取得手段と、特定の日時を示す特定日時データを複数記憶する記憶手段と、この記憶手段に記憶されている複数の特定日時データのうちのいずれか１つを選択する選択手段と、前記撮像手段により撮像された前記被写体像の画像データ、前記取得手段により取得された撮影日時データ、及び前記選択手段により選択された特定日時データを特定するための特定データを対応付けて記録する画像データ記録手段と、前記画像データ記録手段に記録されている画像データを再生表示させる制御手段と、この制御手段により再生表示される画像データと対応付けて前記画像データ記録手段に記録されている撮影日時データと、該撮影日時データと対応付けて記録されている特定データにより特定される、前記記憶手段に記憶されている前記特定日時データとの差分データを算出する算出手段とを備え、前記制御手段は、さらに、再生表示させる画像データとともに前記算出手段により算出された差分データが表示されるように制御する手段を含むことを特徴とする。
【手続補正６】
【補正対象書類名】明細書
【補正対象項目名】０００９
【補正方法】変更
【補正の内容】
【０００９】
また、請求項７記載の撮像装置にあっては、複数の表示モードの中から任意の表示モードを選択するモード選択手段を備え、前記算出手段は、前記モード選択手段により差分データ表示モードが選択された場合に差分データを算出し、前記制御手段は、前記モード選択手段により差分データ表示モードが選択された場合に、再生表示させる画像データとともに前記算出手段により算出された差分データが表示されるように制御することを特徴とする。
また、請求項８記載の撮像装置にあっては、前記記憶手段は、名前データ及び特定の日時を示す特定日時データを対応付けて複数組記憶する手段を含み、前記画像データ記録手段は、画像データ、撮影日時データ及び名前データを対応付けて記録する手段を含み、前記算出手段は、前記制御手段により再生表示される画像データと対応付けて前記画像データ記録手段に記録されている撮影日時データと、該撮影日時データと対応付けて記録されている名前データと一致する前記記憶手段に記憶されている名前データと対応付けて記憶されている前記特定日時データとの差分データを算出する手段を含み、前記制御手段は、前記モード選択手段により名前データ表示モードが選択された場合、再生表示させる画像データと対応付けて前記画像データ記録手段に記録されている名前データが表示されるように制御することを特徴とする。
また、請求項９記載の撮像装置にあっては、前記制御手段は、前記モード選択手段により日付データ表示モードが選択された場合、再生表示させる画像データと対応付けて前記画像データ記録手段に記録されている撮影日時データが表示されるように制御することを特徴とする。
【手続補正７】
【補正対象書類名】明細書
【補正対象項目名】００１０
【補正方法】変更
【補正の内容】
【００１０】
また、請求項１０記載の撮像装置にあっては、被写体像を撮像する撮像手段と、この撮像手段により撮像された前記被写体像の画像データの撮影日時を示す撮影日時データを取得する取得手段と、特定の日時を示す特定日時データを複数記憶する記憶手段と、この記憶手段に記憶されている複数の特定日時データのうちのいずれか１つを選択する選択手段と、前記取得手段により取得された撮影日時データと、前記選択手段により選択された前記特定日時データとの差分データを算出する算出手段と、前記撮像手段により撮像された前記被写体像の画像データ及び前記算出手段により算出された差分データを対応付けて記録する画像データ記録手段とを備えたことを特徴とする。
【手続補正８】
【補正対象書類名】明細書
【補正対象項目名】００１１
【補正方法】変更
【補正の内容】
【００１１】
また、請求項１１記載の撮像装置にあっては、前記記憶手段は、名前データ及び特定の日時を示す特定日時データを対応付けて複数組記憶する手段を含み、前記選択手段は、前記記憶手段に記憶されている複数の名前データのうちのいずれか１つを選択する手段を含み、前記算出手段は、前記取得手段により取得された撮影日時データと、前記選択手段により選択された名前データと対応付けて前記記憶手段に記憶されている特定日時データとの差分データを算出する手段を含むことを特徴とする。
また、請求項１２記載の撮像装置にあっては、前記画像データ記録手段に記録されている画像データを再生表示させる制御手段を備え、前記制御手段は、さらに、再生表示させる画像データとともに該画像データと対応付けて前記画像データ記録手段に記録されている差分データが表示されるように制御する手段を含むことを特徴とする。
また、請求項１３記載の撮像装置にあっては、複数の表示モードの中から任意の表示モードを選択するモード選択手段を備え、前記制御手段は、前記モード選択手段により差分データ表示モードが選択された場合に、再生表示させる画像データとともに前記差分データが表示されるように制御することを特徴とする。
【手続補正９】
【補正対象書類名】明細書
【補正対象項目名】００１２
【補正方法】変更
【補正の内容】
【００１２】
また、請求項１４記載の撮像装置にあっては、前記画像データ記録手段に記録されている画像データを再生表示させる制御手段と、複数の表示モードの中から任意の表示モードを選択するモード選択手段とを備え、前記画像データ記録手段は、前記画像データ、前記差分データ及び前記選択手段により選択された名前データを対応付けて記録する手段を含み、前記制御手段は、前記モード選択手段により名前データ表示モードが選択された場合、再生表示させる画像データと対応付けて前記画像データ記録手段に記録されている名前データが表示されるように制御することを特徴とする。
また、請求項１５記載の撮像装置にあっては、前記画像データ記録手段は、前記画像データ、前記差分データ及び前記取得手段により取得された撮影日時データを対応付けて記録する手段を含み、前記制御手段は、前記モード選択手段により日付データ表示モードが選択された場合、再生表示させる画像データと対応付けて前記画像データ記録手段に記録されている撮影日時データが表示されるように制御することを特徴とする。